(57)【要約】【課題】圧縮機の信頼性を損なうことなく適正な運転が可能な多室形空気調和機の運転制御方法を提供する。【解決手段】圧縮機１、アキュームレータ１４、室外送風機５、室外熱交換器４、膨張弁８を配設した室外機２１と、前記室外機２１に接続されると共に、室内熱交換器９、室内送風機１０を内蔵した複数台の室内機２２から構成され、第２の膨張弁７ａを介して、室外熱交換器４の出口とアキュームレータ１４とをバイパス接続する液バイパス回路３を具備し、冷房または暖房運転で、圧縮機１の運転周波数が設定周波数以上のとき、圧縮機１の吐出温度が第１の設定値を上回ると、第２の膨張弁７ａの開度を第１の設定開度とし、第２の設定値を上回ると、第２の膨張弁７ａの開度を第２の設定開度とするもので、圧縮機低圧の低下及び、圧縮機低吐出温度の過昇を防ぎ、適正な冷・暖房運転ができる。【選択図】図１
2009198040.tif 000002
【特許請求の範囲】
【請求項１】
圧縮機、アキュームレータ、室外送風機、室外熱交換器、減圧装置を配設した室外機と、前記室外機に接続されると共に、室内熱交換器、室内送風機を内蔵した複数台の室内機から構成され、第２の膨張弁を介して、前記室外熱交換器の出口と前記アキュームレータとをバイパス接続する液バイパス回路を具備し、冷房または暖房運転で、前記圧縮機の運転周波数が設定周波数以上のとき、前記圧縮機の吐出温度が第１の設定値を上回ると、前記第２の膨張弁の開度を第１の設定開度とし、前記吐出温度が第２の設定値を上回ると、前記第２の膨張弁の開度を第２の設定開度とすることを特徴とする多室形空気調和機の運転制御方法。
【請求項２】
冷房または暖房運転時で、圧縮機の運転周波数が設定周波数以上のとき、前記圧縮機の吐出圧力が第３の設定値を下回ると、第２の膨張弁の開度を第１の設定開度とし、前記吐出圧力が第４の設定値を下回ると、前記第２の膨張弁の開度を第２の設定開度とすることを特徴とする請求項１に記載の多室形空気調和機の運転制御方法。
【請求項３】
冷房または暖房運転時で、圧縮機の運転周波数が設定周波数以上のとき、前記圧縮機の吐出温度と、冷房時は室外熱交換器温度と、暖房時は室内熱交換器温度とから算出される吐出過熱度が第５の設定値を上回ると、第２の膨張弁の開度を第１の設定開度とし、前記吐出過熱度が第６の設定値を上回ると、前記第２の膨張弁の開度を第２の設定開度とすることを特徴とする請求項１又は２に記載の多室形空気調和機の運転制御方法。
【請求項４】
冷房または暖房運転時で、圧縮機の運転周波数が設定周波数以上で、しかも前記圧縮機の吐出温度が設定値以上のとき、前記圧縮機の吸入温度と、冷房時は室内熱交換器温度と、暖房時は室外熱交換器温度とから算出される吸入過熱度が、第７の設定値を上回ると、第２の膨張弁の開度を第１の設定開度とし、前記吸入過熱度が第８の設定値を上回ると、前記第２の膨張弁の開度を第２の設定開度とすることを特徴とする請求項１〜３のいずれか１項に記載の多室形空気調和機の運転制御方法。
【請求項５】
冷房運転時で、圧縮機の運転周波数が設定周波数以上で、しかも圧縮機の吐出温度が設定温度以上で、さらに外気温が設定温度以下のとき、室外熱交換器温度と室外熱交換器出口温度との差が、第９の設定値を下回ると、第２の膨張弁の開度を第１の設定開度とし、前記室外熱交換器温度と前記室外熱交換器出口温度との差が第１０の設定値を下回ると、前記第２の膨張弁の開度を第２の設定開度とすることを特徴とする請求項１〜４のいずれか１項に記載の多室形空気調和機の運転制御方法。
【発明の詳細な説明】
【技術分野】
【０００１】
本発明は、多室形空気調和機の運転制御方法に関するものである。
【背景技術】
【０００２】
従来のこの種の多室形空気調和機の運転制御方法について、図１７〜２０を用いて説明する。
【０００３】
図１７は、従来の多室形空気調和機の運転制御方法を示す冷凍サイクル図、図１８は、同多室形空気調和機の運転制御方法を示すフローチャート、図１９は、同多室形空気調和機の運転制御方法を示すタイムチャート、図２０は、同多室形空気調和機の運転制御方法を示す制御ブロック図である。
【０００４】
図１７において、従来の多室形空気調和機は、一台の室外機２１と、室外機２１に接続される複数の室内機２２から構成され、室外機２１は、能力可変型の圧縮機１と、アキュームレータ１４と、四方弁２と、室外熱交換器４と、減圧装置である膨張弁８と、室外熱交換器４に外気を当てる室外送風機５と、外気温度を検出する外気温度センサー６と、電磁二方弁７とキャピラリーチューブ１６を介して、室外熱交換器４の出口側とアキュムレータ１４との間をバイパスする液バイパス回路３を備えている。
【０００５】
室内機２２は、室内熱交換器９と、室内熱交換器９の配管温度を検出する室内配管温度センサー１１と、室内温度を検出する室内吸込み温度センサー１２と、室内熱交換器９を通して室内空気を吸引するための室内送風機１０を備え、圧縮機１、アキュムレータ１４、四方弁２、室内熱交換器９、膨張弁８、室外熱交換器４は、順に冷媒配管１５を介して接続されて冷凍サイクルを構成している。
【０００６】
ここで冷房または暖房運転で、圧縮機１の運転周波数が設定周波数以上で、圧縮機１の吐出温度が設定温度以上を検知すると電磁二方弁７が開弁し、室外熱交換器４の出口から吐出された液冷媒がアキュームレータ１４へ流れるので、圧縮機１の吐出温度の過昇を防止することができる（例えば、特許文献１参照）。
【特許文献１】特開平８−２８９８２号公報
【発明の開示】
【発明が解決しようとする課題】
【０００７】
しかしながら、上記従来の多室形空気調和機の運転制御方法では、室外熱交換器４の出口とアキュームレータ１４は、電磁二方弁７及びキャピラリーチューブ１６を介して接続されているものの、液冷媒が、吸入の方へ流れるため能力の損失が大きく、圧縮機１の信頼性は確保されるが冷房または暖房能力が不足してユーザーに不快感を与えてしまうという欠点があった。
【０００８】
本発明は、前記従来の課題を解決するもので、能力の低下を最小に抑えながら圧縮機吐出温度を下げて、圧縮機の信頼性を損なうことなく適正な運転ができる多室形空気調和機の運転制御方法を提供することを目的とする。
【課題を解決するための手段】
【０００９】
前記従来の課題を解決するために、本発明の多室形空気調和機の運転制御方法は、圧縮機、アキュームレータ、室外送風機、室外熱交換器、減圧装置を配設した室外機と、前記室外機に接続されると共に、室内熱交換器、室内送風機を内蔵した複数台の室内機から構
成され、第２の膨張弁を介して、前記室外熱交換器の出口と前記アキュームレータとをバイパス接続する液バイパス回路を具備し、冷房または暖房運転で、前記圧縮機の運転周波数が設定周波数以上のとき、前記圧縮機の吐出温度が第１の設定値を上回ると、前記第２の膨張弁の開度を第１の設定開度とし、前記吐出温度が第２の設定値を上回ると、前記第２の膨張弁の開度を第２の設定開度とするもので、圧縮機低圧の低下及び、圧縮機低吐出温度の過昇を防ぐと同時に、適正な冷暖房運転をすることが可能となる。
【発明の効果】
【００１０】
本発明の多室形空気調和機の運転制御方法は、冷房または暖房運転時の圧縮機低圧の低下を無くし、しかも冷暖房能力の低下を防ぐことができる。
【発明を実施するための最良の形態】
【００１１】
第１の発明は、圧縮機、アキュームレータ、室外送風機、室外熱交換器、減圧装置を配設した室外機と、前記室外機に接続されると共に、室内熱交換器、室内送風機を内蔵した複数台の室内機から構成され、第２の膨張弁を介して、前記室外熱交換器の出口と前記アキュームレータとをバイパス接続する液バイパス回路を具備し、冷房または暖房運転で、前記圧縮機の運転周波数が設定周波数以上のとき、前記圧縮機の吐出温度が第１の設定値を上回ると、前記第２の膨張弁の開度を第１の設定開度とし、前記吐出温度が第２の設定値を上回ると、前記第２の膨張弁の開度を第２の設定開度とするもので、圧縮機低圧の低下及び、圧縮機低吐出温度の過昇を防ぐと同時に、適正な冷暖房運転をすることが可能となる。
【００１２】
第２の発明は、特に、第１の発明の多室形空気調和機の運転制御方法において、冷房または暖房運転時で、圧縮機の運転周波数が設定周波数以上のとき、前記圧縮機の吐出圧力が第３の設定値を下回ると、第２の膨張弁の開度を第１の設定開度とし、前記吐出圧力が第４の設定値を下回ると、前記第２の膨張弁の開度を第２の設定開度とするもので、圧縮機低吐出温度の過昇を防ぐと同時に、適正な冷暖房運転をすることが可能となる。
【００１３】
第３の発明は、特に、第１又は第２の発明の多室形空気調和機の運転制御方法において、冷房または暖房運転時で、圧縮機の運転周波数が設定周波数以上のとき、前記圧縮機の吐出温度と、冷房時は室外熱交換器温度と、暖房時は室内熱交換器温度とから算出される吐出過熱度が第５の設定値を上回ると、第２の膨張弁の開度を第１の設定開度とし、前記吐出過熱度が第６の設定値を上回ると、前記第２の膨張弁の開度を第２の設定開度とするもので、圧縮機低圧の低下、及び圧縮機吐出温度の過昇を防ぐと同時に、適正な冷暖房運転をすることができる。
【００１４】
第４の発明は、特に、第１〜３のいずれか１つの発明の多室形空気調和機の運転制御方法において、冷房または暖房運転時で、圧縮機の運転周波数が設定周波数以上で、しかも前記圧縮機の吐出温度が設定値以上のとき、前記圧縮機の吸入温度と、冷房時は室内熱交換器温度と、暖房時は室外熱交換器温度とから算出される吸入過熱度が、第７の設定値を上回ると、第２の膨張弁の開度を第１の設定開度とし、前記吸入過熱度が第８の設定値を上回ると、前記第２の膨張弁の開度を第２の設定開度とするもので、圧縮機吐出温度の過昇を防ぐと同時に、適正な冷暖房運転をすることができる。
【００１５】
第５の発明は、特に、第１〜４のいずれか１つの発明の多室形空気調和機の運転制御方法において、冷房運転時で、圧縮機の運転周波数が設定周波数以上で、しかも圧縮機の吐出温度が設定温度以上で、さらに外気温が設定温度以下のとき、室外熱交換器温度と室外熱交換器出口温度との差が、第９の設定値を下回ると、第２の膨張弁の開度を第１の設定開度とし、前記室外熱交換器温度と前記室外熱交換器出口温度との差が第１０の設定値を下回ると、前記第２の膨張弁の開度を第２の設定開度とするもので、圧縮機吐出温度の過
昇を防ぐと同時に、適正な冷房運転をすることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における多室形空気調和機の運転制御方法を示す冷凍サイクル図、図２は、同多室形空気調和機の運転制御方法を示すフローチャート、図３は、同多室形空気調和機の運転制御方法を示すタイムチャート、図４は、同多室形空気調和機の運転制御方法を示すブロック図である。尚、上記従来の多室形空気調和機の運転制御方法を示す冷凍サイクルと同一部分については、同一符号を付してその説明を省略する。
【００１８】
本実施の形態は、従来の液バイパス回路３の電磁二方弁７の代わりに、第２の膨張弁７ａを用いたもので、他の構成は、従来のものと同一なので、同一部分については、同一符号を付して、個々の詳細な説明は省略する。
【００１９】
次に、図２〜４を用いて、本実施の形態における多室形空気調和機の運転制御方法での、液バイパス回路３中の第２の膨張弁７ａの制御の動作を説明する。
【００２０】
冷房または暖房運転時で、圧縮機１の運転周波数が設定周波数以下で運転している。このとき、液バイパス回路３中の第２の膨張弁７ａは全閉状態となっている。次に、圧縮機１の運転周波数が上昇し、設定値Ｈｚ１以上で、圧縮機１の吐出温度が第１の設定値Ｔｄ１を上回ると、前記第２の膨張弁７ａの開度を第１の設定開度ＰＳ１まで開く。さらに吐出温度が、第１の設定値Ｔｄ１より高い第２の設定値Ｔｄ２を上回ると、前記第２の膨張弁７ａの開度を、第１の設定開度ＰＳ１より大きな第２の設定開度ＰＳ２まで開く。
【００２１】
以上のように、本実施の形態によれば、冷媒が室外熱交換器４に溜まるいわゆる液封現象が発生し、冷媒が循環しないため圧縮機１の吐出温度が異常に高くなるのを、第２の膨張弁７ａの開度を開け、液冷媒をアキュームレータ１４へ流すことにより吐出温度の上昇を防ぎ、適正な冷暖房運転をすることができる。
【００２２】
（実施の形態２）
図５は、本発明の第２の実施の形態における多室形空気調和機の運転制御方法を示すフローチャート、図６は、同多室形空気調和機の運転制御方法を示すタイムチャート、図７は、同多室形空気調和機の運転制御方法を示すブロック図である。本実施の形態は、上記第１の実施の形態とは、運転制御方法のみ異なるもので、多室形空気調和機の構成は、上記第１の実施の形態とは同一なので、同一部分については、同一符号を付してその説明を省略する。
【００２３】
図５〜７において、本実施の形態における多室形空気調和機の運転制御方法での、液バイパス回路３中の第２の膨張弁７ａの制御の動作を説明する。
【００２４】
冷房または暖房運転時で、圧縮機１の運転周波数が設定周波数以下で運転している。このとき、液バイパス回路３中の第２の膨張弁７ａは、全閉状態となっている。次に、圧縮機１の運転周波数が、設定値Ｈｚ１以上で、しかも吐出圧力が、第３の設定値ＨＰ１を下回ると、第２の膨張弁７ａの開度を第１の設定開度ＰＳ１まで開く。さらに前記吐出圧力が、第３の設定値ＨＰ１より低い第４の設定値ＨＰ２を下回ると、前記第２の膨張弁７ａの開度を、第１の設定開度ＰＳ１より広い第２の設定開度ＰＳ２まで開く。
【００２５】
以上のように本実施の形態によれば、圧縮機１の運転周波数が高いにもかかわらず吐出圧力が低い場合、液冷媒が室外熱交換器４に溜まる液封が発生していると判断し液冷媒をアキュームレータ１４へ流すことにより、高圧を上昇させ適正な冷暖房運転をすることができる。
【００２６】
（実施の形態３）
図８は、本発明の第３の実施の形態における多室形空気調和機の運転制御方法を示すフローチャート、図９は、同多室形空気調和機の運転制御方法を示すタイムチャート、図１０は、同多室形空気調和機の運転制御方法を示すブロック図である。本実施の形態は、上記第１の実施の形態とは、運転制御方法のみ異なるもので、多室形空気調和機の構成は、上記第１の実施の形態とは同一なので、同一部分については、同一符号を付してその説明を省略する。
【００２７】
図８〜１０において、本実施の形態における多室形空気調和機の運転制御方法での、液バイパス回路３中の第２の膨張弁７ａの制御の動作を説明する。
【００２８】
冷房または暖房運転時で、圧縮機１の運転周波数が設定周波数以下で運転している。このとき液バイパス回路３中の第２の膨張弁７ａは全閉状態となっている。
【００２９】
次に、圧縮機１の運転周波数が設定値Ｈｚ１以上で、しかも冷房運転時は、圧縮機１の吐出温度と室外熱交換器温度から計算される吐出過熱度が、あるいは、暖房運転時は、前記圧縮機１の吐出温度と室内熱交換器温度から計算される吐出過熱度が、第５の設定値ＳＨｄ１を上回ると、前記第２の膨張弁７ａの開度を第１の設定開度ＰＳ１まで開く。さらに前記吐出過熱度が第５の設定値ＳＨｄ１より大きい第６の設定値ＳＨｄ２を上回ると、前記第２の膨張弁７ａの開度を、第１の設定開度ＰＳ１より大きい第２の設定開度ＰＳ２まで開く。
【００３０】
以上のように、本実施の形態によれば、液封あるいは冷媒ガス抜けで冷媒が循環していないため、圧縮機吐出過熱度が異常に高くなるのを、第２の膨張弁７ａを開け液冷媒をアキュームレータ１４へ流すことにより吐出温度の上昇を防ぎ、適正な冷房運転をすることができる。
【００３１】
（実施の形態４）
図１１は、本発明の第４の実施の形態における多室形空気調和機の運転制御方法を示すフローチャート、図１２は、同多室形空気調和機の運転制御方法を示すタイムチャート、図１３は、同多室形空気調和機の運転制御方法を示すブロック図である。本実施の形態は、上記第１の実施の形態とは、運転制御方法のみ異なるもので、多室形空気調和機の構成は、上記第１の実施の形態とは同一なので、同一部分については、同一符号を付してその説明を省略する。
【００３２】
図１１〜１３において、本実施の形態における多室形空気調和機の運転制御方法での、液バイパス回路３中の第２の膨張弁７ａの制御の動作を説明する。
【００３３】
冷房または暖房運転時で、圧縮機１の運転周波数が設定周波数以下で運転している。このとき液バイパス回路３中の第２の膨張弁７ａは全閉状態となっている。
【００３４】
次に、圧縮機１の運転周波数が設定値Ｈｚ１以上で、しかも圧縮機１の吐出温度がＴｄ１以上のとき、冷房運転時は、圧縮機１の吸入温度と室内熱交換器温度から計算される吸入過熱度が、あるいは、暖房運転時は、前記圧縮機１の吸入温度と室外熱交換器温度から計算される吸入過熱度が、第７の設定値ＳＨｓ１を上回ると、前記第２の膨張弁７ａの開
度を第１の設定開度ＰＳ１まで開く。さらに、前記吐出過熱度が、第７の設定値ＳＨｓ１より大きな第８の設定値ＳＨｓ２を上回ると、前記第２の膨張弁７ａの開度を、第１の設定開度ＰＳ１より大きな第２の設定開度ＰＳ２まで開く。
【００３５】
以上のように、本実施の形態によれば、吸入過熱度が上昇すると冷媒が不足していると判断し、第２の膨張弁７ａを開け前記吸入過熱度が異常に高くなるのを防ぎ適正な冷房運転をすることができる。
【００３６】
（実施の形態５）
図１４は、本発明の第５の実施の形態における多室形空気調和機の運転制御方法を示すフローチャート、図１５は、同多室形空気調和機の運転制御方法を示すタイムチャート、図１６は、同多室形空気調和機の運転制御方法を示すブロック図である。本実施の形態は、上記第１の実施の形態とは、運転制御方法のみ異なるもので、多室形空気調和機の構成は、上記第１の実施の形態とは同一なので、同一部分については、同一符号を付してその説明を省略する。
【００３７】
図１４〜１６において、本実施の形態における多室形空気調和機の運転制御方法での、液バイパス回路３中の第２の膨張弁７ａの制御の動作を説明する。
【００３８】
冷房運転時で、圧縮機１の運転周波数が設定周波数以下で運転している。このとき液バイパス回路３中の第２の膨張弁７ａは全閉状態となっている。
【００３９】
次に、圧縮機１の運転周波数が設定値Ｈｚ１以上でしかも外気温が、Ｔａ１よりも低いとき、室外熱交換器温度と室外熱交換器出口温度から算出される温度差が、第９の設定値Ｔｃｏ１を下回ると、第２の膨張弁７ａの開度を第１の設定開度ＰＳ１まで開く。さらに前記温度差が、第９の設定値Ｔｃｏ１より小さい第１０の設定値Ｔｃｏ２を下回ると、前記第２の膨張弁７ａの開度を、第１の設定開度ＰＳ１より大きい第２の設定開度ＰＳ２まで開く。
【００４０】
以上のように、本実施の形態によれば、前記温度差が減少するということは、液冷媒が低外気温時に、室外熱交換器４に溜まっていると判断し、液冷媒をアキュームレータ１４へ流すことにより適正な冷房運転をすることができる。
【産業上の利用可能性】
【００４１】
以上のように、本発明にかかる多室形空気調和機の運転制御方法は、冷房または暖房能力を低下させることなく圧縮機低圧を確保することができるので、圧縮機信頼性が向上し最適な冷暖房運転をすることができるもので、各種空気調和機に適用できるものである。
【図面の簡単な説明】
【００４２】
【図１】本発明の実施の形態１における多室形空気調和機の運転制御方法を示す冷凍サイクル図
【図２】同多室形空気調和機の運転制御方法を示すフローチャート
【図３】同多室形空気調和機の運転制御方法を示すタイムチャート
【図４】同多室形空気調和機の運転制御方法を示すブロック図
【図５】本発明の実施の形態２における多室形空気調和機の運転制御方法を示すフローチャート
【図６】同多室形空気調和機の運転制御方法を示すタイムチャート
【図７】同多室形空気調和機の運転制御方法を示すブロック図
【図８】本発明の実施の形態３における多室形空気調和機の運転制御方法を示すフローチャート
【図９】同多室形空気調和機の運転制御方法を示すタイムチャート
【図１０】同多室形空気調和機の運転制御方法を示すブロック図
【図１１】本発明の実施の形態４における多室形空気調和機の運転制御方法を示すフローチャート
【図１２】同多室形空気調和機の運転制御方法を示すタイムチャート
【図１３】同多室形空気調和機の運転制御方法を示すブロック図
【図１４】本発明の実施の形態５における多室形空気調和機の運転制御方法を示すフローチャート
【図１５】同多室形空気調和機の運転制御方法を示すタイムチャート
【図１６】同多室形空気調和機の運転制御方法を示すブロック図
【図１７】従来の多室形空気調和機の運転制御方法を示す冷凍サイクル図
【図１８】同多室形空気調和機の運転制御方法を示すフローチャート
【図１９】同多室形空気調和機の運転制御方法を示すタイムチャート
【図２０】同多室形空気調和機の運転制御方法を示す制御ブロック図
【符号の説明】
【００４３】
１  圧縮機
２  ４方弁
３  液バイパス回路
４  室外熱交換器
５  室外送風機
７ａ  第２の膨張弁
８  膨張弁（減圧装置）
９  室内熱交換器
１０  室内送風機
１１  室内配管温度センサー
１２  室内吸込み温度センサー
１４  アキュームレータ
２１  室外機
２２  室内機
【図１】
2009198040.tif 000003
【図２】
2009198040.tif 000004
【図３】
2009198040.tif 000005
【図４】
2009198040.tif 000006
【図５】
2009198040.tif 000007
【図６】
2009198040.tif 000008
【図７】
2009198040.tif 000009
【図８】
2009198040.tif 000010
【図９】
2009198040.tif 000011
【図１０】
2009198040.tif 000012
【図１１】
2009198040.tif 000013
【図１２】
2009198040.tif 000014
【図１３】
2009198040.tif 000015
【図１４】
2009198040.tif 000016
【図１５】
2009198040.tif 000017
【図１６】
2009198040.tif 000018
【図１７】
2009198040.tif 000019
【図１８】
2009198040.tif 000020
【図１９】
2009198040.tif 000021
【図２０】
2009198040.tif 000022